(57)【要約】【課題】任意のタイミングで棒金の在り高を検出することができる棒金保管庫の提供。【解決手段】筐体と、筐体に対し引き出しおよび収納可能に設けられるとともに、セットされる棒金Ｂ１，Ｂ５，Ｂ１０，Ｂ５０，Ｂ１００，Ｂ５００の金種が予め設定されたセット部Ｓ１，Ｓ５，Ｓ１０，Ｓ５０，Ｓ１００，Ｓ５００を金種別に有する棒金トレイ５１と、棒金トレイ５１のすべてのセット部Ｓ１，Ｓ５，Ｓ１０，Ｓ５０，Ｓ１００，Ｓ５００に設けられて棒金の有無を検知する棒金有無検知手段７０と、棒金有無検知手段７０の出力に基づいて棒金の在り高を管理する管理手段とを有する。【選択図】図５
2008192077.tif 000002
【特許請求の範囲】
【請求項１】
筐体と、
該筐体に対し引き出しおよび収納可能に設けられるとともに、セットされる棒金の金種が予め設定されたセット部を金種別に有する棒金トレイと、
該棒金トレイのすべての前記セット部に設けられて棒金の有無をそれぞれ検知する棒金有無検知手段と、
これら棒金有無検知手段の出力に基づいて棒金の在り高を管理する管理手段とを有することを特徴とする棒金保管庫。
【請求項２】
前記筐体に対する前記棒金トレイの引き出された開状態から収納される閉状態への開閉切替を検知する収納検知手段を有し、該収納検知手段で前記開閉切替が検知されると前記管理手段が棒金の在り高を検出することを特徴とする請求項１記載の棒金保管庫。
【請求項３】
外部電源供給のオフからオンへのオフオン切替を検知する電源供給監視手段を有し、該電源供給監視手段で前記オフオン切替が検知されると前記管理手段が棒金の在り高を検出することを特徴とする請求項１または２記載の棒金保管庫。
【発明の詳細な説明】
【技術分野】
【０００１】
本発明は、棒金を必要に応じて取り出し可能に収納する棒金保管庫に関する。
【背景技術】
【０００２】
売上金の管理を行うＰＯＳレジに、売上金の入金および釣銭の出金を行うために入出金機を付設して、さらに、釣銭硬貨の補充用の棒金を保管する棒金保管庫を付設したものがある（例えば、特許文献１参照）。この棒金保管庫は、筐体と、筐体に対し引き出しおよび収納可能に設けられた棒金トレイとを有しており、筐体に対し引き出された状態の棒金トレイが筐体に収納される際に、筐体に対し棒金トレイとともに移動する棒金を筐体に設けられたセンサで走査して計数し、在り高管理を行うようになっている。
【特許文献１】特開２００６−８５３３２号公報
【発明の開示】
【発明が解決しようとする課題】
【０００３】
しかしながら、上記のように、棒金トレイの移動を利用しセンサで走査して棒金の計数を行うものであると、棒金トレイを引き出して戻さなければ在り高の検出ができず、任意のタイミングで棒金の在り高を検出できないという問題があった。
【０００４】
したがって、本発明は、任意のタイミングで棒金の在り高を検出することができる棒金保管庫の提供を目的とする。
【課題を解決するための手段】
【０００５】
上記目的を達成するために、請求項１に係る発明は、筐体と、該筐体に対し引き出しおよび収納可能に設けられるとともに、セットされる棒金の金種が予め設定されたセット部を金種別に有する棒金トレイと、該棒金トレイのすべての前記セット部に設けられて棒金の有無をそれぞれ検知する棒金有無検知手段と、これら棒金有無検知手段の出力に基づいて棒金の在り高を管理する管理手段とを有することを特徴としている。
【０００６】
請求項２に係る発明は、請求項１に係る発明において、前記筐体に対する前記棒金トレイの引き出された開状態から収納される閉状態への開閉切替を検知する収納検知手段を有し、該収納検知手段で前記開閉切替が検知されると前記管理手段が棒金の在り高を検出することを特徴としている。
【０００７】
請求項３に係る発明は、請求項１または２に係る発明において、外部電源供給のオフからオンへのオフオン切替を検知する電源供給監視手段を有し、該電源供給監視手段で前記オフオン切替が検知されると前記管理手段が棒金の在り高を検出することを特徴としている。
【発明の効果】
【０００８】
請求項１に係る発明によれば、棒金トレイが、セットされる棒金の金種が予め設定されたセット部を金種別に有しており、すべてのセット部に棒金の有無を検知する棒金有無検知手段が設けられていて、管理手段は、各棒金有無検知手段で対応するセット部における棒金の有無を検出することで棒金の在り高を検出することになる。このように、すべてのセット部に棒金の有無を検知する棒金有無検知手段が設けられているため、任意のタイミングで棒金の在り高を検出することができる。しかも、セット部は、セットされる棒金の金種が予め設定されているため、棒金有無検知手段は、棒金の有無のみを検知できれば良く、構成および制御の簡素化が図れ、低コスト化が図れる。
【０００９】
請求項２に係る発明によれば、筐体に対し引き出された棒金トレイが収納される開閉切替を収納検知手段が検知すると、管理手段が棒金の在り高を検出するため、棒金トレイの数が変わる棒金トレイの引き出し後の収納時に自動的に棒金の在り高を検出することができる。つまり、在り高が変化することのないタイミングで在り高検出を不必要に行ってしまうことがなく、在り高を効率良く検出することができる。
【００１０】
請求項３に係る発明によれば、外部電源供給のオフからオンへのオフオン切替を電源供給監視手段が検知すると、管理手段が棒金の在り高を検出するため、例えば停電時や障害発生時等、外部電源供給がオフされる棒金管理が困難な状態が生じても、その後、電源供給が復旧した時点で即座に棒金の在り高を検出することができる。したがって、仮に棒金管理が困難な状態で管理上の問題が生じても即座に在り高を検出することで即座に対応可能となる。
【発明を実施するための最良の形態】
【００１１】
本発明の第１実施形態の棒金保管庫を図１〜図６を参照して以下に説明する。
図１は、例えばスーパーマーケット等で用いられるレジ装置１１を示すもので、このレジ装置１１は、レジ係の操作者により操作されて売上金の管理を行うＰＯＳレジ１２の下側に、ＰＯＳレジ１２と連動して売上金の入金および釣銭の出金を行う貨幣入出金機１３が設けられ、貨幣入出金機１３の下側に釣銭硬貨の補充用として用いられる棒金を保管する第１実施形態の棒金保管庫１４が設けられて構成されている。
【００１２】
ＰＯＳレジ１２は、図示略のバーコード読取機で読み取った商品のバーコードに基づき、商品の合計金額を計算する計算機能等を有する図２に示すＰＯＳレジ制御部２０と、操作者がバーコードの読取作業を終了させる際に操作する合計キーおよび操作者が顧客から預かった現金の金額を入力する際に操作する金額入力キー等を有する操作部２３と、計算した商品の合計金額や操作者への案内等を表示させるための表示部（表示手段）２４、バーコードに対応した購入商品名、商品金額、商品の合計金額等をレシートに印刷するための印刷手段２５などが備えられている。
【００１３】
このＰＯＳレジ１２では、商品の計算が終了して、操作部２３の合計キーが押下された場合には、ＰＯＳレジ制御部２０によって、商品の合計金額を表示部２４に表示させた後、顧客から受け取った代金と、商品の購入金額との間の差額を計算し、更に、顧客からの代金と商品の購入金額との間に差額がある場合には、その差額の貨幣（紙幣、硬貨）を払い出す釣銭指令を出力する。
【００１４】
貨幣入出金機１３は、ＰＯＳレジ１２からの指示により入出金処理がそれぞれ行われる紙幣入出金機３０と、硬貨入出金機３１とを有しており、これらは操作者から見て左右（以下、単に左右という）に並設されている。
【００１５】
紙幣入出金機３０は、その機体の前面上部に設けられ、入金紙幣を受け入れるための入金口３３と、該入金口３３の下側に位置する機体前面に設けられた出金／リジェクト口３４と、入金口３３に投入された紙幣の入金処理および内部に収納した紙幣の出金／リジェクト口３４への出金処理等を行う図２に示す紙幣入出金機構部３５と、紙幣入出金機構部３５を制御する紙幣入出金制御部３６とを有している。
【００１６】
硬貨入出金機３１は、その機体の上部に設けられ、入金硬貨を受け入れるための入金口３８と、機体の前面下部に設けられ、出金硬貨を払い出す出金口３９と、入金口３８に投入された硬貨の入金処理および内部に収納した硬貨の出金口３９への出金処理等を行う図２に示す硬貨入出金機構部４０と、硬貨入出金機構部４０を制御する硬貨入出金制御部４１とを有している。
【００１７】
第１実施形態の棒金保管庫１４は、その上面に貨幣入出金機１３が搭載される筐体５０と、この筐体５０から操作者側に引き出し可能および筐体５０内に収納可能に設けられた棒金トレイ５１とを有している。
【００１８】
ここで、棒金トレイ５１に収納される各金種の棒金について説明する。図３の図表に示すように、棒金の種類は、現状日本国内において、１円アルミニウム硬貨を５０枚集積して包装した１円棒金と、５円黄銅硬貨を５０枚集積して包装した５円棒金と、１０円青銅硬貨を５０枚集積して包装した１０円棒金と、５０円白銅硬貨を５０枚集積して包装した５０円棒金と、１００円白銅硬貨を５０枚集積して包装した１００円棒金と、５００円白銅硬貨を５０枚集積して包装した第１の５００円棒金と、５００円ニッケル黄銅硬貨を５０枚集積して包装した第２の５００円棒金とが取り扱われる可能性がある。
【００１９】
そして、材質について見てみると、５０円、１００円および第１の５００円は、成分が共通であって導電率も同じである一方、１円、５円、１０円および第２の５００円は、それぞれ成分が他とは異なっており導電率もそれぞれ異なっている。また、直径について見てみると、第１の５００円および第２の５００円が同じである一方、１円、５円、１０円、５０円および１００円は、他とは異なっている。さらに、棒金とした場合の重さについて見てみると、第１の５００円棒金と第２の５００円棒金とで差が小さいものの、すべて他とは異なっている。さらに、棒金長さについて見てみると、１円棒金、５円棒金および１０円棒金は同じであって、これら以外よりも短い一方、１００円棒金は、１円棒金、５円棒金および１０円棒金よりも若干長く、５０円棒金はさらに長く、第１の５００円棒金および第２の５００円棒金は、互いに同じでさらに長くなっている。
【００２０】
図１に示すように、筐体５０は、高さが低い略直方体の箱状のもので、操作者側となる前面に開口部５２が形成されている。
【００２１】
図４に示すように、棒金トレイ５１は、左右両側の外側面に前後方向に沿って延在するとともに互いにスライドする一対のレール５４を有するスライドレール５５が一方のレール５４において固定されており、他方のレール５４が図示は略すが筐体５０の左右両側の内側面に固定されることで、筐体５０に摺動可能に支持されている。そして、筐体５０には、棒金トレイ５１が筐体５０内に収納された状態で棒金トレイ５１によりオンされ、それ以外の位置ではオフされる図２に示す閉位置スイッチ（収納検知手段）５８と、棒金トレイ５１が筐体５０内から引き出された所定位置に位置すると棒金トレイ５１によりオンされ、それ以外の位置ではオフされる引き出しスイッチ（収納検知手段）５９とが設けられており、これらが棒金保管庫制御部（管理手段，収納検知手段，電源供給監視手段）６０に接続されている。この棒金保管庫制御部６０は、引き出しスイッチ５９がオフからオンに切り替わってから閉位置スイッチ５８がオンされると、筐体５０に対する棒金トレイ５１の引き出された開状態から収納される閉状態への開閉切替を検知する。また、閉位置スイッチ５８がオンからオフに切り替わってから所定時間内に引き出しスイッチ５９がオンされると、筐体５０に対する棒金トレイ５１の閉状態から開状態への閉開切替を検知する。
【００２２】
棒金トレイ５１は、図５に示すように、操作者側つまり引き出し方向前側の第１範囲Ａ１と、この第１範囲Ａ１の引き出し方向後側の第２範囲Ａ２とに区画されており、第１範囲Ａ１に、セットされる棒金の金種が予め１００円棒金Ｂ１００に設定された１００円棒金用の複数のセット部Ｓ１００と、セットされる棒金の金種が予め１０円棒金Ｂ１０に設定された１０円棒金１０用の複数のセット部Ｓ１０と、セットされる棒金の金種が予め１円棒金Ｂ１に設定された１円棒金用の複数のセット部Ｓ１とが設けられ、第２範囲Ａ２に、セットされる棒金の金種が予め５００円棒金Ｂ５００に設定された５００円棒金用の複数のセット部Ｓ５００と、セットされる棒金の金種が予め５０円棒金Ｂ５０に設定された５０円棒金用の複数のセット部Ｓ５０と、セットされる棒金の金種が予め５円棒金Ｂ５に設定された５円棒金用の複数のセット部Ｓ５とが設けられている。つまり、棒金トレイ５１は、セットされる棒金の金種が予め設定された金種別のセット部Ｓ１，Ｓ５，Ｓ１０，Ｓ５０，Ｓ１００，Ｓ５００を有している。ここで、１円、１０円および１００円は、５円、５０円および５００円に対して、釣銭としての使用数が多く準備数も例えば４倍と多くなるため、使い勝手性を向上させるため、使用頻度が高い１円棒金Ｂ１、１０円棒金Ｂ１０および１００円棒金Ｂ１００を棒金トレイ５１の引き出し方向前側であって取り出しやすい第１範囲Ａ１に収納し、使用頻度が低い５円棒金Ｂ５、５０円棒金Ｂ５０および５００円棒金Ｂ５００を棒金トレイ５１の引き出し方向後側の第２範囲Ａ２に収納する。
【００２３】
より具体的には、第１範囲Ａ１の引き出し方向の前部における左右方向の一側である左側に、１００円棒金Ｂ１００、１０円棒金Ｂ１０および１円棒金Ｂ１のうちのいずれか第１金種、具体的には１０円棒金Ｂ１０用の複数のセット部Ｓ１０が設けられており、第１範囲Ａ１の引き出し方向の前部における左右方向の他側つまり右側に、１００円棒金Ｂ１００、１０円棒金Ｂ１０および１円棒金Ｂ１のうちのいずれか第２金種、具体的には１００円棒金Ｂ１００用の複数のセット部Ｓ１００が設けられており、第１範囲Ａ１の引き出し方向の後部に、１００円棒金Ｂ１００、１０円棒金Ｂ１０および１円棒金Ｂ１のうちのいずれか第３金種、具体的には１円棒金Ｂ１用の複数のセット部Ｓ１が設けられている。
【００２４】
１０円棒金Ｂ１０用の複数、具体的には８箇所のセット部Ｓ１０は、１０円棒金Ｂ１０がその軸線を左右方向に沿わせた姿勢でセットされるもので、それぞれが左右方向の位置を一致させて引き出し方向に並設されている。
【００２５】
１００円棒金Ｂ１００用の複数、具体的には８箇所のセット部Ｓ１００は、１００円棒金Ｂ１００がその軸線を左右方向に沿わせた姿勢でセットされるもので、それぞれが左右方向の位置を一致させて引き出し方向に並設されている。しかも、１００円棒金Ｂ１００用の８箇所のセット部Ｓ１００と１０円棒金Ｂ１０用の８箇所のセット部Ｓ１０とのうち引き出し方向前側からの配置順が同じとなる左右のセット部Ｓ１００，Ｓ１０は、互いに引き出し方向の位置を一致させており、その結果、１００円棒金Ｂ１００用の８箇所のセット部Ｓ１００は、その全体が、１０円棒金Ｂ１０用の８箇所のセット部Ｓ１０の全体と引き出し方向の位置を一致させている。
【００２６】
１円棒金Ｂ１用の複数、具体的には８箇所のセット部Ｓ１は、１円棒金Ｂ１がその軸線を左右方向に沿わせた姿勢でセットされるもので、４箇所ずつ左右に分割されている。つまり、左側４箇所のセット部Ｓ１はそれぞれが左右方向の位置を一致させて引き出し方向に沿って並設されており、しかも、１０円棒金Ｂ１０用の８箇所のセット部Ｓ１０とも左右方向の位置をほぼ一致させている。また、右側４箇所のセット部Ｓ１はそれぞれが左右方向の位置を一致させて引き出し方向に並設されており、しかも、１００円棒金Ｂ１００用の８箇所のセット部Ｓ１００とも左右方向の位置をほぼ一致させている。加えて、左側４箇所のセット部Ｓ１と右側４箇所のセット部Ｓ１とのうち引き出し方向前側からの配置順が同じとなる左右のセット部Ｓ１は、互いに引き出し方向の位置を一致させており、その結果、左側４箇所のセット部Ｓ１の全体と右側４箇所のセット部Ｓ１の全体とは互いに引き出し方向の位置を一致させている。
【００２７】
ここで、図３に示すように、第１範囲Ａ１に収納される１円棒金Ｂ１、１０円棒金Ｂ１０および１００円棒金Ｂ１００のうち、１０円棒金Ｂ１０と１００円棒金Ｂ１００とは直径差が小さいため、１０円棒金Ｂ１０用の８箇所のセット部Ｓ１０の全体の引き出し方向長さと１００円棒金Ｂ１００用の８箇所のセット部Ｓ１００と全体の引き出し方向長さとの差も小さく、これらを左右に並べるとスペースが有効利用できる。
【００２８】
また、第２範囲Ａ２には、複数の５００円棒金Ｂ５００用のセット部Ｓ５００と、複数の５０円棒金Ｂ５０用のセット部Ｓ５０と、複数の５円棒金Ｂ５用のセット部Ｓ５とが金種別に分けられて設けられている。
【００２９】
５円棒金Ｂ５用の複数、具体的には２箇所のセット部Ｓ５は、５円棒金Ｂ５がその軸線を引き出し方向に沿わせた姿勢でセットされるもので、それぞれが引き出し方向の位置を一致させて左右に並設されて、最も左側に設けられている。
【００３０】
５０円棒金Ｂ５０用の複数、具体的には２箇所のセット部Ｓ５０は、５０円棒金Ｂ５０がその軸線を引き出し方向に沿わせた姿勢でセットされるもので、それぞれが引き出し方向の位置を一致させて左右に並設されて、左右方向の中間に設けられている。
【００３１】
５００円棒金Ｂ５００用の複数、具体的には２箇所のセット部Ｓ５００は、５００円棒金Ｂ５００がその軸線を引き出し方向に沿わせた姿勢でセットされるもので、それぞれが引き出し方向の位置を一致させて左右に並設されて、最も右側に設けられている。これら５円棒金Ｂ５用の２箇所のセット部Ｓ５、５０円棒金Ｂ５０用の２箇所のセット部Ｓ５０および５００円棒金Ｂ５００用の２箇所のセット部Ｓ５００は、互いに引き出し方向の位置をほぼ一致させている。
【００３２】
ここで、上記した各セット部Ｓ１，Ｓ５，Ｓ１０，Ｓ５０，Ｓ１００，Ｓ５００は、図６にセット部Ｓ１０を例示するように、いずれも下方に凹む凹形状をなしており、セットされる棒金の外径よりも大径の円筒面状の底面６５と、この底面６５の軸線方向両側からそれぞれ立ち上がる一対の端面６６とを有していて、平面視長方形状の開口部を有している。そして、セットされた棒金が底面６５の形状によって最も低い位置に位置するようになっている。各セット部Ｓ１，Ｓ５，Ｓ１０，Ｓ５０，Ｓ１００，Ｓ５００には、それぞれに予め設定されたセットされるべき金種が表示されており、金種毎に色分けされている。なお、各セット部Ｓ１，Ｓ５，Ｓ１０，Ｓ５０，Ｓ１００，Ｓ５００の底面６５の半径および軸直交方向の幅は、それぞれセットされる設定金種の棒金の大きさに応じて設定されることになるが、すべての金種で同じとしても良い。
【００３３】
例えば、１０円棒金Ｂ１０用の各セット部Ｓ１０は底面６５に「１０」の文字が表示されるとともに全体的に所定の第１の色で塗られ、１００円棒金Ｂ１００用の各セット部Ｓ１００は底面６５に「１００」の文字が表示されるとともに全体的に所定の第２の色で塗られ、１円棒金Ｂ１用の各セット部Ｓ１は底面６５に「１」の文字が表示されるとともに全体的に所定の第３の色で塗られ、５円棒金Ｂ５用の各セット部Ｓ５は底面６５に「５」の文字が表示されるとともに全体的に所定の第４の色で塗られ、５０円棒金Ｂ５０用の各セット部Ｓ５０は底面６５に「５０」の文字が表示されるとともに全体的に所定の第５の色で塗られ、５００円棒金Ｂ５００用の各セット部Ｓ５００は底面６５に「５００」の文字が表示されるとともに全体的に所定の第６の色で塗られている。
【００３４】
また、セットされるべき棒金の長さの短い１円棒金Ｂ１用のセット部Ｓ１、５円棒金Ｂ５用のセット部Ｓ５および１０円棒金Ｂ１０用のセット部Ｓ１０は、セットされるべき棒金よりも長い棒金が入り込めないように両端面６６間の距離が設定されている。つまり、これらのセット部Ｓ１，Ｓ５，Ｓ１０は、５０円棒金Ｂ５０、１００円棒金Ｂ１００、５００円棒金Ｂ５００を入れることができないように長さが設定されている。
【００３５】
そして、棒金トレイ５１のすべてのセット部Ｓ１，Ｓ５，Ｓ１０，Ｓ５０，Ｓ１００，Ｓ５００には、それぞれにセットされた棒金の有無を検知する棒金有無検知センサ（棒金有無検知手段）７０が設けられている。ここで、すべてのセット部は、セットされる棒金の金種が予め設定されているため、この棒金有無検知センサ７０としては、セット部に棒金がセットされたか否かを検出可能なものであれば、例えば棒金に限らず物体がセットされた場合にこれを検出するものであっても良い。具体的には、所定値以上の荷重がセット部の底面の底位置に加わるとオンされるセットスイッチ、セット部を跨ぐように発光素子と受光素子とが配置され、セット部に物体がセットされると発光素子と受光素子との間の光路が遮光されることでこれを検知する透過型光学センサ、セット部の底面の底位置に発光素子と受光素子とが配置され、底位置に物体がセットされると発光素子の光が物体で反射されて受光素子で受光されることでこれを検知する反射型光学センサ、セット部にセットされた物体の磁気的性質を検出する磁気センサ、およびセット部にセットされた物体の重量を検出する重量センサ等を用いることができる。セットスイッチを用いる場合および重量センサを用いる場合は、すべてのセット部Ｓ１，Ｓ５，Ｓ１０，Ｓ５０，Ｓ１００，Ｓ５００が棒金のセットで個別に下降するように昇降可能に設けられる。
【００３６】
そして、すべての棒金有無検知センサ７０の出力は、マルチプレクサ回路等を利用することで、時分割的に走査して識別処理可能となり、棒金保管庫制御部６０に送信される。棒金保管庫制御部６０では、すべての棒金有無検知センサ７０のそれぞれの検出結果に基づいて棒金保管庫１４内の棒金の在り高を検出する。
【００３７】
ここで、棒金保管庫制御部６０は、ＰＯＳレジ制御部２０に通信可能に接続されており、このＰＯＳレジ制御部２０には、さらに紙幣入出金制御部３６および硬貨入出金制御部４１が通信可能に接続されている。ＰＯＳレジ制御部２０は、外部電源から電力供給を受けて、紙幣入出金制御部３６、硬貨入出金制御部４１および棒金保管庫制御部６０にそれぞれ電力を供給することになる。ＰＯＳレジ制御部２０は、すべてのレジ装置１１を統括するシステム管理装置７１に通信可能に接続されている。
【００３８】
そして、棒金保管庫制御部６０は、筐体５０に対する棒金トレイ５１の引き出された開状態から収納される閉状態への開閉切替を引き出しスイッチ５９がオフからオンに切り替わってから閉位置スイッチ５８がオンされたことにより検出すると、すべての棒金有無検知センサ７０の検知の有無に基づいて棒金保管庫１４内の棒金の在り高を検出する。つまり、筐体５０に対して棒金トレイ５１が引き出されると、硬貨入出金機３１への補充のためにセット部Ｓ１，Ｓ５，Ｓ１０，Ｓ５０，Ｓ１００，Ｓ５００のいずれか対応するものから棒金を取り出したり、あるいはセット部Ｓ１，Ｓ５，Ｓ１０，Ｓ５０，Ｓ１００，Ｓ５００のいずれか対応するものに棒金Ｂ１，Ｂ５，Ｂ１０，Ｂ５０，Ｂ１００，Ｂ５００の該当金種のものを追加収納したり等、棒金トレイ５１の棒金Ｂ１，Ｂ５，Ｂ１０，Ｂ５０，Ｂ１００，Ｂ５００の在り高が変化する可能性が高いため、棒金トレイ５１が引き出された後に筐体５０に収納されると、この時点で在り高を検出するのである。各セット部Ｓ１，Ｓ５，Ｓ１０，Ｓ５０，Ｓ１００，Ｓ５００は、それぞれセットされる棒金の金種が予め設定されているため、棒金保管庫制御部６０は、各セット部Ｓ１，Ｓ５，Ｓ１０，Ｓ５０，Ｓ１００，Ｓ５００において棒金ありを検出した棒金有無検知センサ７０の数に基づいて棒金保管庫１４内の棒金の在り高を検出する。
【００３９】
また、棒金保管庫制御部６０は、ＰＯＳレジ制御部２０を介しての外部電源供給のオフからオンへのオフオン切替を検知すると、すべての棒金有無検知センサ７０の検知の有無に基づいて棒金保管庫１４内の棒金の在り高を検出する。つまり、例えば停電時や障害発生時等、外部電源供給がオフされて棒金管理が困難な管理上不安定な状態が生じた場合には、その後、電源供給が復旧した時点で即座に棒金保管庫１４内の棒金の在り高を検出する。
【００４０】
そして、棒金保管庫制御部６０は、検出した棒金の在り高を、ＰＯＳレジ制御部２０に送信することになり、ＰＯＳレジ制御部２０では、この棒金保管庫１４内の棒金の在り高を更新記憶するとともに、棒金の在り高をシステム管理装置７１に出力する。ここで、ＰＯＳレジ制御部２０では、例えば操作部２３への適宜の操作入力があるとその時点の棒金の在り高を表示部２４に表示させる。また、システム管理装置７１では、各レジ装置１１毎に送信された棒金の在り高情報から次の棒金補充時に準備するべき各金種毎の棒金の数等を割り出して表示させることになり、これに基づいて補充作業者は棒金を準備する。また、システム管理装置７１では、各レジ装置１１毎に棒金がすべて取り出された金種があるか否かを監視しており、棒金がすべて取り出された要補充金種があるレジ装置１１が生じた場合には、アラームを発生させ、当該レジ装置１１への要補充金種の追加を促す。
【００４１】
以上に述べた第１実施形態によれば、棒金トレイ５１が、セットされる棒金の金種が予め設定された金種別のセット部Ｓ１，Ｓ５，Ｓ１０，Ｓ５０，Ｓ１００，Ｓ５００を有しており、すべてのセット部Ｓ１，Ｓ５，Ｓ１０，Ｓ５０，Ｓ１００，Ｓ５００に棒金の有無を検知する棒金有無検知センサ７０が設けられていて、棒金保管庫制御部６０は、各棒金有無検知センサ７０で対応するセット部における棒金の有無を検出することで棒金の在り高を検出することになる。このように、すべてのセット部Ｓ１，Ｓ５，Ｓ１０，Ｓ５０，Ｓ１００，Ｓ５００に棒金の有無を検知する棒金有無検知センサ７０が設けられているため、任意のタイミングで棒金の在り高を検出することができる。
【００４２】
また、各セット部Ｓ１，Ｓ５，Ｓ１０，Ｓ５０，Ｓ１００，Ｓ５００は、セットされる棒金の金種が予め設定されているため、棒金有無検知センサ７０は、棒金の有無（物体の有無）のみを検知できれば良く、構成および制御の簡素化が図れ、低コスト化が図れる。
【００４３】
さらに、筐体５０に対し引き出された棒金トレイ５１が収納される開閉切替を、閉位置スイッチ５８および引き出しスイッチ５９の検出結果で検知すると、棒金保管庫制御部６０が棒金の在り高を検出するため、棒金トレイ５１の数が変わる棒金トレイ５１の引き出し後の収納時に自動的に棒金の在り高を検出することができる。つまり、在り高が変化することのないタイミングで在り高検出を不必要に行ってしまうことがなく、在り高を効率良く検出することができる。
【００４４】
加えて、棒金保管庫制御部６０は、外部電源供給のオフからオンへのオフオン切替を検知すると、棒金の在り高を検出するため、例えば停電時や障害発生時等、外部電源供給がオフされる棒金管理が困難な状態が生じても、その後、電源供給が復旧した時点で即座に棒金の在り高を検出することができる。したがって、仮に棒金管理が困難な状態で管理上の問題が生じても即座に在り高を検出することで即座に対応可能となる。
【００４５】
次に、本発明の第２実施形態の棒金保管庫を主に図７を参照して以下に第１実施形態との相違部分を中心に説明する。なお、第１実施形態と同様の部分には同一の符号を付しその説明は略す。
【００４６】
第２実施形態においては、第１実施形態に対し、棒金トレイ５１の引き出し方向前側の第１範囲Ａ１に設けられる１００円棒金Ｂ１００用の複数のセット部Ｓ１００および１０円棒金Ｂ１０用の複数のセット部Ｓ１０の配置が異なっている。
【００４７】
より具体的には、第１範囲Ａ１の引き出し方向の前部に、１００円棒金Ｂ１００、１０円棒金Ｂ１０および１円棒金Ｂ１のうちのいずれか第１金種、具体的には１０円棒金Ｂ１０用の複数のセット部Ｓ１０が設けられており、第１範囲Ａ１の引き出し方向の中間部に、１００円棒金Ｂ１００、１０円棒金Ｂ１０および１円棒金Ｂ１のうちのいずれか第２金種、具体的には１００円棒金Ｂ１００用の複数のセット部Ｓ１００が設けられており、第１範囲Ａ１の引き出し方向の後部に、１００円棒金Ｂ１００、１０円棒金Ｂ１０および１円棒金Ｂ１のうちのいずれか第３金種、具体的には１円棒金Ｂ１用の複数のセット部Ｓ１が設けられている。
【００４８】
１０円棒金Ｂ１０用の複数、具体的には８箇所のセット部Ｓ１０は、１０円棒金Ｂ１０がその軸線を左右方向に沿わせた姿勢でセットされるもので、４箇所ずつ左右に分割されている。つまり、左側４箇所のセット部Ｓ１０はそれぞれが左右方向の位置を一致させて引き出し方向に沿って並設されており、また、右側４箇所のセット部Ｓ１０はそれぞれが左右方向の位置を一致させて引き出し方向に並設されている。しかも、左側４箇所のセット部Ｓ１０と右側４箇所のセット部Ｓ１０とのうち引き出し方向前側からの配置順が同じとなる左右のセット部Ｓ１０は、互いに引き出し方向の位置を一致させており、その結果、左側４箇所のセット部Ｓ１０の全体と右側４箇所のセット部Ｓ１０の全体とは互いに引き出し方向の位置を一致させている。
【００４９】
１００円棒金Ｂ１００用の複数、具体的には８箇所のセット部Ｓ１００は、１００円棒金Ｂ１００がその軸線を左右方向に沿わせた姿勢でセットされるもので、４箇所ずつ左右に分割されている。つまり、左側４箇所のセット部Ｓ１００はそれぞれが左右方向の位置を一致させて引き出し方向に並設されており、しかも、１０円棒金Ｂ１０用の左側４箇所のセット部Ｓ１０とも左右方向の位置をほぼ一致させている。また、右側４箇所のセット部Ｓ１００はそれぞれが左右方向の位置を一致させて引き出し方向に並設されており、しかも、１０円棒金Ｂ１０用の右側４箇所のセット部Ｓ１０とも左右方向の位置をほぼ一致させている。加えて、左側４箇所のセット部Ｓ１００と右側４箇所のセット部Ｓ１００とのうち引き出し方向前側からの配置順が同じとなる左右のセット部Ｓ１００は、互いに引き出し方向の位置を一致させており、その結果、左側４箇所のセット部Ｓ１００の全体と右側４箇所のセット部Ｓ１００の全体とは互いに引き出し方向の位置を一致させている。
【００５０】
１円棒金Ｂ１用の複数、具体的には８箇所のセット部Ｓ１は、１円棒金Ｂ１がその軸線を左右方向に沿わせた姿勢でセットされるもので、４箇所ずつ左右に分割されている。つまり、左側４箇所のセット部Ｓ１はそれぞれが左右方向の位置を一致させて引き出し方向に並設されており、しかも、１００円棒金Ｂ１００用の左側４箇所のセット部Ｓ１００とも左右方向の位置をほぼ一致させている。また、右側４箇所のセット部Ｓ１はそれぞれが左右方向の位置を一致させて引き出し方向に並設されており、しかも、１００円棒金Ｂ１００用の右側４箇所のセット部Ｓ１００とも左右方向の位置をほぼ一致させている。加えて、左側４箇所のセット部Ｓ１と右側４箇所のセット部Ｓ１とのうち引き出し方向前側からの配置順が同じとなる左右のセット部Ｓ１は、互いに引き出し方向の位置を一致させており、その結果、左側４箇所のセット部Ｓ１の全体と右側４箇所のセット部Ｓ１の全体とは互いに引き出し方向の位置を一致させている。
【００５１】
また、第２範囲Ａ２には、第１実施形態と同様に、複数の５００円棒金Ｂ５００用のセット部Ｓ５００と、複数の５０円棒金Ｂ５０用のセット部Ｓ５０と、複数の５円棒金Ｂ５用のセット部Ｓ５とが金種別に分けられて設けられている。
【図面の簡単な説明】
【００５２】
【図１】本発明の第１実施形態の棒金保管庫が適用されたレジ装置の全体斜視図である。
【図２】本発明の第１実施形態の棒金保管庫が適用されたレジ装置の制御系ブロック図である。
【図３】各金種の棒金の各データを示す図表である。
【図４】本発明の第１実施形態の棒金保管庫の棒金トレイに棒金を収納した状態を示す斜視図である。
【図５】本発明の第１実施形態の棒金保管庫の棒金トレイを示す平面図である。
【図６】本発明の第１実施形態の棒金保管庫のセット部を示すもので、（ａ）は側断面図、（ｂ）は正断面図である。
【図７】本発明の第２実施形態の棒金保管庫の棒金トレイを示す平面図である。
【符号の説明】
【００５３】
１４  棒金保管庫
５０  筐体
５１  棒金トレイ
５８  閉位置スイッチ（収納検知手段）
５９  引き出しスイッチ（収納検知手段）
６０  棒金保管庫制御部（管理手段，収納検知手段，電源供給監視手段）
７０  棒金有無検知センサ（棒金有無検知手段）
Ｂ１，Ｂ５，Ｂ１０，Ｂ５０，Ｂ１００，Ｂ５００  棒金
Ｓ１，Ｓ５，Ｓ１０，Ｓ５０，Ｓ１００，Ｓ５００  セット部
【図１】
2008192077.tif 000003
【図２】
2008192077.tif 000004
【図３】
2008192077.tif 000005
【図４】
2008192077.tif 000006
【図５】
2008192077.tif 000007
【図６】
2008192077.tif 000008
【図７】
2008192077.tif 000009